(57)【要約】【課題】コピー回数が制限されているデジタルコンテンツを異なる機器間で適正にコピー又は移動することができるデジタルコンテンツ再生システムを提供する。【解決手段】ＣＰＵ２７に、カウンタ情報が、「２」以上の場合にデジタルコンテンツのコピーを許可し、「１」以上の場合にデジタルコンテンツ，カウンタ情報の移動を許可させる制御プログラム２９Ｂと、コピーの際、カウンタ情報を所定数減算し、移動の際、カウンタ情報を所定数減算させる減算プログラム２９Ｃと、ＩＤ情報，カウンタ情報を取得させる取得プログラム２９Ｇと、取得したＩＤ情報に対応するカウンタ情報に、取得したカウンタ情報を加算させる加算プログラム２９Ｈと、カウンタ情報が、「１」以上の場合にデジタルコンテンツの再生を許可させる再生制御プログラム２９Ｉと、を備えた。【選択図】図３
2007318669.tif 000002
【特許請求の範囲】
【請求項１】
コピー回数が制限されているデジタルコンテンツを再生する複数の再生装置が通信回線を介して接続されるデジタルコンテンツ再生システムにおいて、
第１再生装置は、
前記デジタルコンテンツと、当該デジタルコンテンツを識別するための識別情報と、同時に再生可能な再生装置の台数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「２」以上の場合には前記デジタルコンテンツのコピー、前記デジタルコンテンツの前記第２再生装置への移動、前記デジタルコンテンツの前記カウンタ情報の前記第３再生装置への移動を許可し、「１」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記制御手段により前記デジタルコンテンツのコピー又は前記デジタルコンテンツの前記第２再生装置への移動が許可された場合に、当該デジタルコンテンツを所定のデータ形式に変換する変換手段と、
前記制御手段により前記デジタルコンテンツのコピー、又は前記デジタルコンテンツの前記第２再生装置への移動が許可された場合に、前記変換手段により変換されたデジタルコンテンツと、当該デジタルコンテンツの前記識別情報と、前記所定数の前記カウンタ情報とを第２再生装置に送信する第１送信手段と、
前記制御手段により前記デジタルコンテンツの前記カウンタ情報の前記第３再生装置への移動が許可された場合に、当該デジタルコンテンツの前記識別情報と、前記所定数の前記カウンタ情報とを前記第３再生装置に送信する第２送信手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「１」以上の場合に前記デジタルコンテンツの再生を許可し、「０」の場合に前記デジタルコンテンツの再生を不許可とする制御を行う再生制御手段と、
前記識別情報と前記カウンタ情報を暗号化する暗号化手段と、
前記識別情報と前記カウンタ情報を解読する解読手段と、
を備えることを特徴とするデジタルコンテンツ再生システム。
【請求項２】
コピー回数が制限されているデジタルコンテンツを再生する複数の再生装置が通信回線を介して接続されるデジタルコンテンツ再生システムにおいて、
第１再生装置は、
前記デジタルコンテンツと、コピー可能回数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「１」以上の場合には前記デジタルコンテンツのコピー、前記デジタルコンテンツの前記第２再生装置への移動、前記デジタルコンテンツの前記カウンタ情報の前記第３再生装置への移動を許可し、「０」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「０」以上の場合に前記デジタルコンテンツの再生を許可し、「−１」の場合に前記デジタルコンテンツの再生を不許可とする制御を行う再生制御手段と、
を備えることを特徴とするデジタルコンテンツ再生システム。
【請求項３】
コピー回数が制限されているデジタルコンテンツを再生する複数の再生装置が通信回線を介して接続されるデジタルコンテンツ再生システムにおいて、
第１再生装置は、
前記デジタルコンテンツと、同時に再生可能な再生装置の台数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「２」以上の場合には前記デジタルコンテンツのコピー、前記デジタルコンテンツの前記第２再生装置への移動、前記デジタルコンテンツの前記カウンタ情報の前記第３再生装置への移動を許可し、「１」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「１」以上の場合に前記デジタルコンテンツの再生を許可し、「０」の場合に前記デジタルコンテンツの再生を不許可とする制御を行う再生制御手段と、
を備えることを特徴とするデジタルコンテンツ再生システム。
【請求項４】
前記第１再生装置は、
前記制御手段により前記デジタルコンテンツのコピー又は前記デジタルコンテンツの前記第２再生装置への移動が許可された場合に、当該デジタルコンテンツを所定のデータ形式に変換する変換手段と、
前記制御手段により前記デジタルコンテンツのコピー、又は前記デジタルコンテンツの前記第２再生装置への移動が許可された場合に、前記変換手段により変換されたデジタルコンテンツと、当該デジタルコンテンツの前記識別情報と、前記所定数の前記カウンタ情報とを第２再生装置に送信する第１送信手段と、
前記制御手段により前記デジタルコンテンツの前記カウンタ情報の前記第３再生装置への移動が許可された場合に、当該デジタルコンテンツの前記識別情報と、前記所定数の前記カウンタ情報とを前記第３再生装置に送信する第２送信手段と、
を備えることを特徴とする請求項２又は３に記載のデジタルコンテンツ再生システム。
【請求項５】
前記第１再生装置は、
前記識別情報と前記カウンタ情報を暗号化する暗号化手段と、
前記識別情報と前記カウンタ情報を解読する解読手段と、
を備えることを特徴とする請求項２〜４の何れか一項に記載のデジタルコンテンツ再生システム。
【発明の詳細な説明】
【技術分野】
【０００１】
本発明は、デジタルコンテンツ再生システムに関する。
【背景技術】
【０００２】
従来、デジタル放送において、不正コピーを防止するため、放送するデジタルコンテンツにコピーワンス情報が付加されている。コピーワンス情報が付加されたデジタルコンテンツは、一度しかコピーすることができないため、デジタル放送受信装置等のハードディスクに保存された場合には、当該ハードディスクから当該デジタルコンテンツを他の記録媒体にコピーすることはできない。そこで、デジタル放送受信装置等のハードディスクに保存されたコピーワンス情報が付加されているデジタルコンテンツを他の記録媒体に記憶させるためには、当該ハードディスクから当該デジタルコンテンツを当該記録媒体に移動させることとなる（例えば、特許文献１）。
しかし、ハードディスクから記録媒体にデジタルコンテンツを移動する際に当該デジタルコンテンツのデータ量を減らす等の変換が必要な場合があり、当該デジタルコンテンツを変換して移動すると、再度、当該記録媒体から当該ハードディスクに当該デジタルコンテンツを戻す際に、元のデジタルコンテンツのデータ量に戻すことができなくなってしまうという問題が生じる。そこで、ハードディスクから記録媒体にデジタルコンテンツを移動する際に、ハードディスク内にデジタルコンテンツを残し、当該デジタルコンテンツのコンテンツ情報のみを「削除」として当該デジタルコンテンツの再生を不可能とし、記録媒体からデジタルコンテンツが返却された場合に、ハードディスク内のデジタルコンテンツのコンテンツ情報のみを「存在」として再生可能にするデジタル放送受信装置も知られており、この場合には、デジタルコンテンツが移動の際に変換されても、変換されていないデジタルコンテンツがハードディスク内に残されるので、上記問題を解決できる（例えば、特許文献２）。
【特許文献１】特開２００５−３４８０９１号公報
【特許文献２】特開２００５−３３９６００号公報
【発明の開示】
【発明が解決しようとする課題】
【０００３】
しかしながら、デジタルコンテンツには、１度だけコピーができるコピーワンスだけでなく、数回だけコピーが許されるものもあるが、上述の特許文献２の方法では、コピーワンスのものだけにしか対応できない。
【０００４】
本発明の課題は、コピー回数が制限されているデジタルコンテンツを異なる機器間で適正にコピー又は移動することができるデジタルコンテンツ再生システムを提供することである。
【課題を解決するための手段】
【０００５】
請求項１に記載の発明は、コピー回数が制限されているデジタルコンテンツを再生する複数の再生装置が通信回線を介して接続されるデジタルコンテンツ再生システムにおいて、
第１再生装置は、
前記デジタルコンテンツと、当該デジタルコンテンツを識別するための識別情報と、同時に再生可能な再生装置の台数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「２」以上の場合には前記デジタルコンテンツのコピー、前記デジタルコンテンツの前記第２再生装置への移動、前記デジタルコンテンツの前記カウンタ情報の前記第３再生装置への移動を許可し、「１」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記制御手段により前記デジタルコンテンツのコピー又は前記デジタルコンテンツの前記第２再生装置への移動が許可された場合に、当該デジタルコンテンツを所定のデータ形式に変換する変換手段と、
前記制御手段により前記デジタルコンテンツのコピー、又は前記デジタルコンテンツの前記第２再生装置への移動が許可された場合に、前記変換手段により変換されたデジタルコンテンツと、当該デジタルコンテンツの前記識別情報と、前記所定数の前記カウンタ情報とを第２再生装置に送信する第１送信手段と、
前記制御手段により前記デジタルコンテンツの前記カウンタ情報の前記第３再生装置への移動が許可された場合に、当該デジタルコンテンツの前記識別情報と、前記所定数の前記カウンタ情報とを前記第３再生装置に送信する第２送信手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「１」以上の場合に前記デジタルコンテンツの再生を許可し、「０」の場合に前記デジタルコンテンツの再生を不許可とする制御を行う再生制御手段と、
前記識別情報と前記カウンタ情報を暗号化する暗号化手段と、
前記識別情報と前記カウンタ情報を解読する解読手段と、
を備えることを特徴としている。
【０００６】
請求項２に記載の発明は、コピー回数が制限されているデジタルコンテンツを再生する複数の再生装置が通信回線を介して接続されるデジタルコンテンツ再生システムにおいて、
第１再生装置は、
前記デジタルコンテンツと、コピー可能回数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「１」以上の場合には前記デジタルコンテンツのコピー、前記デジタルコンテンツの前記第２再生装置への移動、前記デジタルコンテンツの前記カウンタ情報の前記第３再生装置への移動を許可し、「０」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「０」以上の場合に前記デジタルコンテンツの再生を許可し、「−１」の場合に前記デジタルコンテンツの再生を不許可とする制御を行う再生制御手段と、
を備えることを特徴としている。
【０００７】
請求項３に記載の発明は、コピー回数が制限されているデジタルコンテンツを再生する複数の再生装置が通信回線を介して接続されるデジタルコンテンツ再生システムにおいて、
第１再生装置は、
前記デジタルコンテンツと、同時に再生可能な再生装置の台数を示すカウンタ情報と、を対応付けて記憶する記憶手段と、
前記記憶手段に記憶された前記デジタルコンテンツのコピー、又は前記デジタルコンテンツの第２再生装置への移動、又は前記デジタルコンテンツの前記カウンタ情報の前記第３再生装置への移動を指示する指示手段と、
前記指示手段により前記記憶手段に記憶された前記デジタルコンテンツのコピー、又は前記デジタルコンテンツの前記第２再生装置への移動、又は前記デジタルコンテンツの前記カウンタ情報の前記第３再生装置への移動が指示された場合であって、前記記憶手段に記憶された当該デジタルコンテンツの前記カウンタ情報が、「２」以上の場合には前記デジタルコンテンツのコピー、前記デジタルコンテンツの前記第２再生装置への移動、前記デジタルコンテンツの前記カウンタ情報の前記第３再生装置への移動を許可し、「１」以上の場合には前記デジタルコンテンツの前記第２再生装置への移動、前記デジタルコンテンツの前記カウンタ情報の前記第３再生装置への移動を許可する制御を行う制御手段と、
前記制御手段により前記デジタルコンテンツのコピーが許可された場合に、前記記憶手段に記憶された当該デジタルコンテンツの前記カウンタ情報を所定数減算し、前記制御手段により前記デジタルコンテンツの前記第２再生装置への移動が許可された場合に、前記記憶手段に記憶された当該デジタルコンテンツの前記カウンタ情報を所定数減算し、前記制御手段により前記デジタルコンテンツの前記カウンタ情報の前記第３再生装置への移動が許可された場合に、前記記憶手段に記憶された当該デジタルコンテンツの前記カウンタ情報を所定数減算する減算手段と、
前記デジタルコンテンツの前記識別情報及び前記カウンタ情報を取得する取得手段と、
前記取得手段により取得された前記識別情報に対応する前記記憶手段に記憶された前記デジタルコンテンツの前記カウンタ情報に、前記取得手段により取得された前記カウンタ情報を加算する加算手段と、
前記デジタルコンテンツの再生を指示する再生指示手段と、
前記再生指示手段により前記デジタルコンテンツの再生が指示された場合に、前記記憶手段に記憶された当該デジタルコンテンツの前記カウンタ情報が、「１」以上の場合に前記デジタルコンテンツの再生を許可し、「０」の場合に前記デジタルコンテンツの再生を不許可とする制御を行う再生制御手段と、
を備えることを特徴としている。
【０００８】
請求項４に記載の発明は、請求項２又は３に記載のデジタルコンテンツ再生システムにおいて、
前記第１再生装置は、
前記制御手段により前記デジタルコンテンツのコピー又は前記デジタルコンテンツの前記第２再生装置への移動が許可された場合に、当該デジタルコンテンツを所定のデータ形式に変換する変換手段と、
前記制御手段により前記デジタルコンテンツのコピー、又は前記デジタルコンテンツの前記第２再生装置への移動が許可された場合に、前記変換手段により変換されたデジタルコンテンツと、当該デジタルコンテンツの前記識別情報と、前記所定数の前記カウンタ情報とを第２再生装置に送信する第１送信手段と、
前記制御手段により前記デジタルコンテンツの前記カウンタ情報の前記第３再生装置への移動が許可された場合に、当該デジタルコンテンツの前記識別情報と、前記所定数の前記カウンタ情報とを前記第３再生装置に送信する第２送信手段と、
を備えることを特徴としている。
【０００９】
請求項５に記載の発明は、請求項２〜４の何れか一項に記載のデジタルコンテンツ再生システムにおいて、
前記第１再生装置は、
前記識別情報と前記カウンタ情報を暗号化する暗号化手段と、
前記識別情報と前記カウンタ情報を解読する解読手段と、
を備えることを特徴としている。
【発明の効果】
【００１０】
請求項１に記載の発明によれば、第１再生装置において、記憶手段により、デジタルコンテンツと、当該デジタルコンテンツを識別するための識別情報と、同時に再生可能な再生装置の台数を示すカウンタ情報と、が対応付けられて記憶され、指示手段により、記憶手段に記憶されたデジタルコンテンツのコピー、又はデジタルコンテンツの第２再生装置への移動、又はデジタルコンテンツのカウンタ情報の第３再生装置への移動が指示され、制御手段により、指示手段によって記憶手段に記憶されたデジタルコンテンツのコピー、又はデジタルコンテンツの第２再生装置への移動、又はデジタルコンテンツのカウンタ情報の第３再生装置への移動が指示された場合であって、記憶手段に記憶された当該デジタルコンテンツのカウンタ情報が、「２」以上の場合にはデジタルコンテンツのコピー、デジタルコンテンツの第２再生装置への移動、デジタルコンテンツのカウンタ情報の第３再生装置への移動を許可し、「１」以上の場合にはデジタルコンテンツの第２再生装置への移動、デジタルコンテンツのカウンタ情報の第３再生装置への移動を許可する制御が行われ、減算手段により、制御手段によってデジタルコンテンツのコピーが許可された場合に、記憶手段に記憶された当該デジタルコンテンツのカウンタ情報が所定数減算され、制御手段によってデジタルコンテンツの第２再生装置への移動が許可された場合に、記憶手段に記憶された当該デジタルコンテンツのカウンタ情報が所定数減算され、制御手段によってデジタルコンテンツのカウンタ情報の第３再生装置への移動が許可された場合に、記憶手段に記憶された当該デジタルコンテンツのカウンタ情報が所定数減算され、取得手段により、デジタルコンテンツの識別情報及びカウンタ情報が取得され、加算手段により、取得手段によって取得された識別情報に対応する記憶手段に記憶されたデジタルコンテンツのカウンタ情報に、取得手段により取得されたカウンタ情報が加算され、再生指示手段により、デジタルコンテンツの再生が指示され、再生制御手段により、再生指示手段によってデジタルコンテンツの再生が指示された場合に、記憶手段に記憶された当該デジタルコンテンツのカウンタ情報が、「１」以上の場合にデジタルコンテンツの再生を許可し、「０」の場合にデジタルコンテンツの再生を不許可とする制御が行われるので、デジタルコンテンツのコピー，デジタルコンテンツの移動，デジタルコンテンツのカウンタ情報の移動に伴って適正にカウンタ情報が減算又は加算されるとともに、カウンタ情報に基づいてデジタルコンテンツのコピー，デジタルコンテンツの移動，デジタルコンテンツのカウンタ情報の移動の可否が制御され、カウンタ情報に基づいてデジタルコンテンツの再生の可否が制御されることとなり、コピー回数が制限されているデジタルコンテンツ又はデジタルコンテンツのカウンタ情報を異なる機器間で適正にコピー又は移動することができる。
【００１１】
また、制御手段により、カウンタ情報が「２」以上の場合にはデジタルコンテンツのコピー、又はデジタルコンテンツの移動、又はデジタルコンテンツのカウンタ情報の移動が許可され、カウンタ情報が「１」以上の場合にはデジタルコンテンツの移動又はデジタルコンテンツのカウンタ情報の移動が許可され、再生制御手段により、カウンタ情報が「１」以上の場合には当該デジタルコンテンツの再生が許可され、カウンタ情報が「０」の場合には当該デジタルコンテンツの再生が不許可とされるので、コピー可能回数が１回だけ許されている場合のデジタルコンテンツのみでなく、コピー可能回数が１回以上許されている場合のデジタルコンテンツについても、デジタルコンテンツのコピー又はデジタルコンテンツのカウンタ情報の移動を適正に制御することができる。
【００１２】
また、第１再生装置において、変換手段により、制御手段によってデジタルコンテンツのコピー又はデジタルコンテンツの第２再生装置への移動が許可された場合に、当該デジタルコンテンツが所定のデータ形式に変換され、第１送信手段により、制御手段によってデジタルコンテンツのコピー、又はデジタルコンテンツの第２再生装置への移動が許可された場合に、変換手段によって変換されたデジタルコンテンツと、当該デジタルコンテンツの識別情報と、所定数のカウンタ情報とが第２再生装置に送信されるので、第１再生装置から第２再生装置にデジタルコンテンツが変換されてコピー又は移動されても、第１再生装置に変換される前のデジタルコンテンツが残されることとなり、第２再生装置から変換されたデジタルコンテンツが返却されても変換前のデジタルコンテンツに戻すことができないという問題を解決できる。
また、第２送信手段により、制御手段によってデジタルコンテンツのカウンタ情報の第３再生装置への移動が許可された場合に、当該デジタルコンテンツの識別情報と、所定数のカウンタ情報とが第３再生装置に送信されるので、第１再生装置に変換される前のデジタルコンテンツが残されることとなり、第３再生装置から変換手段により変換されたデジタルコンテンツが返却されても変換前のデジタルコンテンツに戻すことができないという問題を解決できる。
【００１３】
また、暗号化手段により、識別情報とカウンタ情報とが暗号化され、解読手段により、識別情報とカウンタ情報とが解読されるので、識別情報とカウンタ情報とが不正に改ざんされることを防ぐことができる。
【００１４】
請求項２に記載の発明によれば、第１再生装置において、記憶手段により、デジタルコンテンツと、当該デジタルコンテンツを識別するための識別情報と、コピー可能回数を示すカウンタ情報と、が対応付けられて記憶され、指示手段により、記憶手段に記憶されたデジタルコンテンツのコピー、又はデジタルコンテンツの第２再生装置への移動、又はデジタルコンテンツのカウンタ情報の第３再生装置への移動が指示され、制御手段により、指示手段によって記憶手段に記憶されたデジタルコンテンツのコピー、又はデジタルコンテンツの第２再生装置への移動、又はデジタルコンテンツのカウンタ情報の第３再生装置への移動が指示された場合であって、記憶手段に記憶された当該デジタルコンテンツのカウンタ情報が、「１」以上の場合にはデジタルコンテンツのコピー、デジタルコンテンツの第２再生装置への移動、デジタルコンテンツのカウンタ情報の第３再生装置への移動を許可し、「０」以上の場合にはデジタルコンテンツの第２再生装置への移動、デジタルコンテンツのカウンタ情報の第３再生装置への移動を許可する制御が行われ、減算手段により、制御手段によってデジタルコンテンツのコピーが許可された場合に、記憶手段に記憶された当該デジタルコンテンツのカウンタ情報が所定数減算され、制御手段によってデジタルコンテンツの第２再生装置への移動が許可された場合に、記憶手段に記憶された当該デジタルコンテンツのカウンタ情報が所定数減算され、制御手段によってデジタルコンテンツのカウンタ情報の第３再生装置への移動が許可された場合に、記憶手段に記憶された当該デジタルコンテンツのカウンタ情報が所定数減算され、取得手段により、デジタルコンテンツの識別情報及びカウンタ情報が取得され、加算手段により、取得手段によって取得された識別情報に対応する記憶手段に記憶されたデジタルコンテンツのカウンタ情報に、取得手段により取得されたカウンタ情報が加算され、再生指示手段により、デジタルコンテンツの再生が指示され、再生制御手段により、再生指示手段によってデジタルコンテンツの再生が指示された場合に、記憶手段に記憶された当該デジタルコンテンツのカウンタ情報が、「０」以上の場合にデジタルコンテンツの再生を許可し、「−１」の場合にデジタルコンテンツの再生を不許可とする制御が行われるので、デジタルコンテンツのコピー，デジタルコンテンツの移動，デジタルコンテンツのカウンタ情報の移動に伴って適正にカウンタ情報が減算又は加算されるとともに、カウンタ情報に基づいてデジタルコンテンツのコピー，デジタルコンテンツの移動，デジタルコンテンツのカウンタ情報の移動の可否が制御され、カウンタ情報に基づいてデジタルコンテンツの再生の可否が制御されることとなり、コピー回数が制限されているデジタルコンテンツ又はデジタルコンテンツのカウンタ情報を異なる機器間で適正にコピー又は移動することができる。
【００１５】
また、制御手段により、カウンタ情報が「１」以上の場合にはデジタルコンテンツのコピー、又はデジタルコンテンツの移動、又はデジタルコンテンツのカウンタ情報の移動が許可され、カウンタ情報が「０」以上の場合にはデジタルコンテンツの移動又はデジタルコンテンツのカウンタ情報の移動が許可され、再生制御手段により、カウンタ情報が「０」以上の場合には当該デジタルコンテンツの再生が許可され、カウンタ情報が「−１」の場合には当該デジタルコンテンツの再生が不許可とされるので、コピー可能回数が１回だけ許されている場合のデジタルコンテンツのみでなく、コピー可能回数が１回以上許されている場合のデジタルコンテンツについても、デジタルコンテンツのコピー又はデジタルコンテンツのカウンタ情報の移動を適正に制御することができる。
【００１６】
請求項３に記載の発明によれば、第１再生装置において、記憶手段により、デジタルコンテンツと、当該デジタルコンテンツを識別するための識別情報と、同時に再生可能な再生装置の台数を示すカウンタ情報と、が対応付けられて記憶され、指示手段により、記憶手段に記憶されたデジタルコンテンツのコピー、又はデジタルコンテンツの第２再生装置への移動、又はデジタルコンテンツのカウンタ情報の第３再生装置への移動が指示され、制御手段により、指示手段によって記憶手段に記憶されたデジタルコンテンツのコピー、又はデジタルコンテンツの第２再生装置への移動、又はデジタルコンテンツのカウンタ情報の第３再生装置への移動が指示された場合であって、記憶手段に記憶された当該デジタルコンテンツのカウンタ情報が、「２」以上の場合にはデジタルコンテンツのコピー、デジタルコンテンツの第２再生装置への移動、デジタルコンテンツのカウンタ情報の第３再生装置への移動を許可し、「１」以上の場合にはデジタルコンテンツの第２再生装置への移動、デジタルコンテンツのカウンタ情報の第３再生装置への移動を許可する制御が行われ、減算手段により、制御手段によってデジタルコンテンツのコピーが許可された場合に、記憶手段に記憶された当該デジタルコンテンツのカウンタ情報が所定数減算され、制御手段によってデジタルコンテンツの第２再生装置への移動が許可された場合に、記憶手段に記憶された当該デジタルコンテンツのカウンタ情報が所定数減算され、制御手段によってデジタルコンテンツのカウンタ情報の第３再生装置への移動が許可された場合に、記憶手段に記憶された当該デジタルコンテンツのカウンタ情報が所定数減算され、取得手段により、デジタルコンテンツの識別情報及びカウンタ情報が取得され、加算手段により、取得手段によって取得された識別情報に対応する記憶手段に記憶されたデジタルコンテンツのカウンタ情報に、取得手段により取得されたカウンタ情報が加算され、再生指示手段により、デジタルコンテンツの再生が指示され、再生制御手段により、再生指示手段によってデジタルコンテンツの再生が指示された場合に、記憶手段に記憶された当該デジタルコンテンツのカウンタ情報が、「１」以上の場合にデジタルコンテンツの再生を許可し、「０」の場合にデジタルコンテンツの再生を不許可とする制御が行われるので、デジタルコンテンツのコピー，デジタルコンテンツの移動，デジタルコンテンツのカウンタ情報の移動に伴って適正にカウンタ情報が減算又は加算されるとともに、カウンタ情報に基づいてデジタルコンテンツのコピー，デジタルコンテンツの移動，デジタルコンテンツのカウンタ情報の移動の可否が制御され、カウンタ情報に基づいてデジタルコンテンツの再生の可否が制御されることとなり、コピー回数が制限されているデジタルコンテンツ又はデジタルコンテンツのカウンタ情報を異なる機器間で適正にコピー又は移動することができる。
【００１７】
また、制御手段により、カウンタ情報が「２」以上の場合にはデジタルコンテンツのコピー、又はデジタルコンテンツの移動、又はデジタルコンテンツのカウンタ情報の移動が許可され、カウンタ情報が「１」以上の場合にはデジタルコンテンツの移動又はデジタルコンテンツのカウンタ情報の移動が許可され、再生制御手段により、カウンタ情報が「１」以上の場合には当該デジタルコンテンツの再生が許可され、カウンタ情報が「０」の場合には当該デジタルコンテンツの再生が不許可とされるので、コピー可能回数が１回だけ許されている場合のデジタルコンテンツのみでなく、コピー可能回数が１回以上許されている場合のデジタルコンテンツについても、デジタルコンテンツのコピー又はデジタルコンテンツのカウンタ情報の移動を適正に制御することができる。
【００１８】
請求項４に記載の発明によれば、請求項２又は３に記載の発明と同様の効果が得られることは勿論のこと、特に、第１再生装置において、変換手段により、制御手段によってデジタルコンテンツのコピー又はデジタルコンテンツの第２再生装置への移動が許可された場合に、当該デジタルコンテンツが所定のデータ形式に変換され、第１送信手段により、制御手段によってデジタルコンテンツのコピー、又はデジタルコンテンツの第２再生装置への移動が許可された場合に、変換手段によって変換されたデジタルコンテンツと、当該デジタルコンテンツの識別情報と、所定数のカウンタ情報とが第２再生装置に送信されるので、第１再生装置から第２再生装置にデジタルコンテンツが変換されてコピー又は移動されても、第１再生装置に変換される前のデジタルコンテンツが残されることとなり、第２再生装置から変換されたデジタルコンテンツが返却されても変換前のデジタルコンテンツに戻すことができないという問題を解決できる。
また、第２送信手段により、制御手段によってデジタルコンテンツのカウンタ情報の第３再生装置への移動が許可された場合に、当該デジタルコンテンツの識別情報と、所定数のカウンタ情報とが第３再生装置に送信されるので、第１再生装置に変換される前のデジタルコンテンツが残されることとなり、第３再生装置から変換手段により変換されたデジタルコンテンツが返却されても変換前のデジタルコンテンツに戻すことができないという問題を解決できる。
【００１９】
請求項５に記載の発明によれば、請求項２〜４の何れか一項に記載の発明と同様の効果が得られることは勿論のこと、特に、第１再生装置において、暗号化手段により、識別情報とカウンタ情報とが暗号化され、解読手段により、識別情報とカウンタ情報とが解読されるので、識別情報とカウンタ情報とが不正に改ざんされることを防ぐことができる。
【発明を実施するための最良の形態】
【００２０】
以下、図を参照して、本発明に係るデジタルコンテンツ再生システムを実施するための最良の形態を詳細に説明する。
【００２１】
まず、本発明に係るデジタルコンテンツ再生システム１００の構成について図を参照しながら説明する。本発明に係るデジタルコンテンツ再生システム１００は、例えば、図１に示すように、放送局１から送信されるデジタルコンテンツを受信し、当該デジタルコンテンツを再生する第１再生装置としての受信装置２と、当該受信装置２と通信回線としてのネットワークＮを介して接続される第２再生装置及び第３再生装置としての再生装置３等を備えて構成される。
なお、放送局１に対する受信装置２の台数及び受信装置２に対する再生装置３の台数は、図示例に限定されるものではなく、任意である。
【００２２】
ネットワークＮには、例えば、ＷＡＮ（Wide  Area  Network）等のインターネットやＬＡＮ（Local  Area  Network）等のイントラネット等が含まれる。また、受信装置２と再生装置３との間の接続はネットワークＮに限定されるものではなく、専用の接続ケーブル等により電気的に接続されてもよい。
【００２３】
放送局１は、例えば、図２に示すように、送信アンテナ１０，エンコーダ１１，多重化部１２，変調部１３，ＣＰＵ（Central  Processing  Unit）１４，ＲＡＭ（Random  Access  Memory）１５，記憶部１６等を備えて構成される。
【００２４】
送信アンテナ１０は、例えば、４ダイポールアンテナ，双ループアンテナ，パラボラアンテナ等であり、ＦＭ放送，ＡＭ放送，地上波デジタル放送，ＢＳ・ＣＳ放送，地上波アナログ放送等の放送波を各受信装置２に送信する。なお、ＣＡＴＶ回線を介して放送波を送信する場合には、接続ケーブル（図示省略）等が備えられてもよい。
【００２５】
エンコーダ１１は、例えば、デジタルコンテンツに符号化処理を施し、多重化部１２へと出力する。
【００２６】
多重化部１２は、例えば、エンコーダ１１により符号化処理されたデジタルコンテンツに多重化処理を施し、変調部１３へと出力する。
【００２７】
変調部１３は、例えば、多重化部１２により多重化処理されたデジタルコンテンツを所定の周波数帯域の放送波となるように変調し、送信アンテナ１０へと出力する。
【００２８】
ＣＰＵ１４は、例えば、記憶部１６に格納された処理プログラム等を読み出して、ＲＡＭ１５に展開して実行することにより、放送局１全体の制御を行う。
【００２９】
ＲＡＭ１５は、ＣＰＵ１４により実行された処理プログラム等を、ＲＡＭ１５内のプログラム格納領域に展開するとともに、入力データや上記処理プログラムが実行される際に生じる処理結果等をデータ格納領域に格納する。
【００３０】
記憶部１６は、例えば、プログラムやデータ等が予め記憶されている記録媒体（図示せず）を有しており、この記録媒体は、例えば、半導体メモリ等で構成されている。また、記憶部１６は、ＣＰＵ１４が放送局１全体を制御する機能を実現させるための各種データ，各種処理プログラム，これらプログラムの実行により処理されたデータ等を記憶する。より具体的には、記憶部１６は、例えば、図２に示すように、デジタルコンテンツデータベース１６Ａ，ＩＤ付加プログラム１６Ｂ，カウンタ付加プログラム１６Ｃ，暗号化プログラム１６Ｄ等を格納している。
【００３１】
デジタルコンテンツデータベース１６Ａは、例えば、受信装置２に送信するデジタルコンテンツを記憶している。
【００３２】
ＩＤ付加プログラム１６Ｂは、例えば、ＣＰＵ１４に、デジタルコンテンツに、当該デジタルコンテンツを識別するための識別情報としてのＩＤ情報を付加する機能を実現させるプログラムである。
【００３３】
カウンタ付加プログラム１６Ｃは、例えば、ＣＰＵ１４に、デジタルコンテンツに、カウンタ情報を付加する機能を実現させるプログラムである。ここで、カウンタ情報とは、当該デジタルコンテンツを同時に再生可能な受信装置２及び再生装置３の台数を示す情報である。
【００３４】
暗号化プログラム１６Ｄは、例えば、ＣＰＵ１４に、デジタルコンテンツに付加するＩＤ情報及びカウンタ情報を暗号化する機能を実現させるプログラムである。
【００３５】
受信装置２は、例えば、図３に示すように、受信アンテナ２０，チューナ部２１，ＨＤＤ２２，復調部２３，デコーダ２４，入力部２５，通信部２６，ＣＰＵ２７，ＲＡＭ２８，記憶部２９等を備えて構成される。また、受信装置２は、出力装置４と接続されている。
【００３６】
受信アンテナ２０は、例えば、パラボラアンテナやＵＨＦアンテナ等であり、ＦＭ放送，ＡＭ放送，地上波デジタル放送，ＢＳ・ＣＳ放送，地上波アナログ放送等のデジタルコンテンツの放送波を受信し、ＦＭ信号，ＡＭ信号，地上波デジタル信号，ＢＳ・ＣＳ・地上波アナログ信号等のＲＦ信号をチューナ部２１に出力する。なお、ＣＡＴＶ回線を介して放送波を受信する場合には、接続ケーブル（図示省略）等が備えられてもよい。
【００３７】
チューナ部２１は、ミキサ（図示省略），選局回路（図示省略），Ａ／Ｄ変換回路（図示省略）等を備えて構成され、ミキサ，選局回路等により、受信アンテナ２０から入力されたＲＦ信号がユーザが所望するチャンネルのＩＦ（Intermediate  Frequency）信号に変換され、Ａ／Ｄ変換回路により、生成されたＩＦ信号がデジタルデータに変換される。
【００３８】
ＨＤＤ２２は、例えば、磁気的記録媒体等を備えて構成され、ＣＰＵ２７が後述する記憶制御プログラム２９Ａを実行することに基づいて、デジタルコンテンツと、ＩＤ情報と、カウンタ情報とを対応づけて記憶する。これにより、ＨＤＤ２２は、記憶手段として機能する。
【００３９】
復調部２３は、例えば、チューナ部２１から入力されるデジタルコンテンツに復調処理等を行って、デコーダ２４に出力する。
【００４０】
デコーダ２４は、例えば、復調部２３から入力されるデジタルコンテンツに復号処理等を行ってビデオデータ及びオーディオデータを生成し、出力装置４に出力する。
【００４１】
入力部２５は、例えば、各種の操作信号を入力するための各種のキー等を備え、ユーザにより操作されることによって、各種の操作信号をＣＰＵ２７に出力する。
より具体的には、デジタルコンテンツのコピー又はデジタルコンテンツの再生装置３への移動又はデジタルコンテンツのカウンタ情報の再生装置３への移動を指示する操作信号をＣＰＵ２７に出力し、指示手段として機能する。
また、デジタルコンテンツの再生を指示する操作信号をＣＰＵ２７に出力し、再生指示手段として機能する。
【００４２】
通信部２６は、例えば、ネットワークＮを介して、受信装置２と再生装置３との間の通信を行う。
【００４３】
ＣＰＵ２７は、例えば、記憶部２９に格納された処理プログラム等を読み出して、ＲＡＭ２８に展開して実行することにより、受信装置２全体の制御を行う。
【００４４】
ＲＡＭ２８は、ＣＰＵ２７により実行された処理プログラム等を、ＲＡＭ２８内のプログラム格納領域に展開するとともに、入力データや上記処理プログラムが実行される際に生じる処理結果等をデータ格納領域に格納する。
【００４５】
記憶部２９は、例えば、プログラムやデータ等が予め記憶されている記録媒体（図示せず）を有しており、この記録媒体は、例えば、半導体メモリ等で構成されている。また、記憶部２９は、ＣＰＵ２７が受信装置２全体を制御する機能を実現させるための各種データ，各種処理プログラム，これらプログラムの実行により処理されたデータ等を記憶する。より具体的には、記憶部２９は、例えば、図３に示すように、記憶制御プログラム２９Ａ，制御プログラム２９Ｂ，減算プログラム２９Ｃ，変換プログラム２９Ｄ，第１送信プログラム２９Ｅ，第２送信プログラム２９Ｆ，取得プログラム２９Ｇ，加算プログラム２９Ｈ，再生制御プログラム２９Ｉ，暗号化プログラム２９Ｊ，解読プログラム２９Ｋ等を格納している。
【００４６】
記憶制御プログラム２９Ａは、例えば、ＣＰＵ２７に、放送局１から放送波を受信した場合に、当該放送波に含まれるデジタルコンテンツを当該デジタルコンテンツのＩＤ情報及び当該デジタルコンテンツのカウンタ情報と対応づけてＨＤＤ２２に記憶させる機能を実現させるプログラムである。
【００４７】
制御プログラム２９Ｂは、例えば、ＣＰＵ２７に、入力部２５がユーザにより操作されることにより、デジタルコンテンツのコピー、又はデジタルコンテンツの再生装置３への移動、又はデジタルコンテンツのカウンタ情報の再生装置３への移動が指示された場合であって、ＨＤＤ２２に記憶された当該デジタルコンテンツのカウンタ情報が、「２」以上の場合には当該デジタルコンテンツのコピー、デジタルコンテンツの再生装置３への移動、デジタルコンテンツのカウンタ情報の再生装置３への移動を許可し、「１」以上の場合には当該デジタルコンテンツの再生装置３への移動、当該デジタルコンテンツのカウンタ情報の再生装置３への移動を許可する制御を行う機能を実現させるプログラムである。なお、本発明におけるデジタルコンテンツの移動では、移動されるデジタルコンテンツは当該受信装置２に残されたまま、移動先の再生装置３に移動される。ＣＰＵ２７は、かかる制御プログラム２９Ｂを実行することにより、制御手段として機能する。
【００４８】
減算プログラム２９Ｃは、例えば、ＣＰＵ２７に、デジタルコンテンツのコピーを許可した場合に、ＨＤＤ２２に記憶された当該デジタルコンテンツのカウンタ情報を所定数減算し、デジタルコンテンツの再生装置３への移動を許可した場合に、ＨＤＤ２２に記憶された当該デジタルコンテンツのカウンタ情報を所定数減算し、デジタルコンテンツのカウンタ情報の再生装置３への移動を許可した場合に、ＨＤＤ２２に記憶された当該デジタルコンテンツのカウンタ情報を所定数減算する機能を実現させるプログラムである。
ここで、所定数は、コピー先である再生装置３に移動させるカウンタ情報の数値によって決まる。また、当該所定数は、予め設定されていてもよいし、ユーザにより入力部２５が操作されることにより設定されてもよい。また、減算プログラム２９Ｃは、ＣＰＵ２７に、カウンタ情報が常に０以上となるように減算処理し、例えば、入力部２５により設定された所定数によりカウンタ情報が０より小さくなる場合には、出力装置４に所定のエラーメッセージを出力させる機能を実現させるプログラムである。ＣＰＵ２７は、かかる減算プログラム２９Ｃを実行することにより、減算手段として機能する。
【００４９】
変換プログラム２９Ｄは、例えば、ＣＰＵ２７に、デジタルコンテンツのコピー、又はデジタルコンテンツの再生装置３への移動を許可した場合に、当該デジタルコンテンツを所定のデータ形式に変換する機能を実現させるプログラムである。ＣＰＵ２７は、かかる変換プログラム２９Ｄを実行することにより、変換手段として機能する。
【００５０】
第１送信プログラム２９Ｅは、例えば、ＣＰＵ２７に、デジタルコンテンツのコピー、又はデジタルコンテンツの再生装置３への移動を許可した場合に、デジタルコンテンツと、当該デジタルコンテンツのＩＤ情報と、所定数のカウンタ情報とを再生装置３に送信する機能を実現させるプログラムである。また、第１送信プログラム２９Ｅは、ＣＰＵ２７に、変換プログラム２９Ｄを実行することにより当該デジタルコンテンツを所定のデータ形式に変換している場合には、変換されたデジタルコンテンツと、当該デジタルコンテンツのＩＤ情報と、所定数のカウンタ情報とを再生装置３に送信する機能を実現させるプログラムである。ＣＰＵ２７は、かかる第１送信プログラム２９Ｅを実行することにより、第１送信手段として機能する。
【００５１】
第２送信プログラム２９Ｆは、例えば、ＣＰＵ２７に、デジタルコンテンツのカウンタ情報の再生装置３への移動を許可した場合に、当該デジタルコンテンツのＩＤ情報と、所定数のカウンタ情報とを再生装置３に送信する機能を実現させるプログラムである。ＣＰＵ２７は、かかる第２送信プログラム２９Ｆを実行することにより、第２送信手段として機能する。
【００５２】
取得プログラム２９Ｇは、例えば、ＣＰＵ２７に、デジタルコンテンツのＩＤ情報及びカウンタ情報を取得する機能を実現させるプログラムである。より具体的には、取得プログラム２９Ｇは、ＣＰＵ２７に、再生装置３からデジタルコンテンツ又はデジタルコンテンツのカウンタ情報が返却された際に、当該デジタルコンテンツのＩＤ情報及びカウンタ情報を取得する機能を実現させるプログラムである。ＣＰＵ２７は、かかる取得プログラム２９Ｇを実行することにより、取得手段として機能する。
【００５３】
加算プログラム２９Ｈは、例えば、ＣＰＵ２７に、取得プログラム２９Ｇを実行することにより取得したＩＤ情報に対応するＨＤＤ２２に記憶されたデジタルコンテンツのカウンタ情報に、取得したカウンタ情報を加算する機能を実現させるプログラムである。より具体的には、加算プログラム２９Ｈは、例えば、ＣＰＵ２７に、取得プログラム２９Ｇを実行することにより取得したＩＤ情報に基づいてＨＤＤ２２を検索し、当該ＩＤ情報に対応するデジタルコンテンツのカウンタ情報を抽出し、当該カウンタ情報に取得したカウンタ情報を加算し、ＨＤＤ２２に、当該デジタルコンテンツのカウンタ情報として記憶する機能を実現させるプログラムである。ＣＰＵ２７は、かかる加算プログラム２９Ｈを実行することにより、加算手段として機能する。
【００５４】
再生制御プログラム２９Ｉは、例えば、ＣＰＵ２７に、入力部２５がユーザにより操作されることによってデジタルコンテンツの再生を指示する操作信号が入力された場合に、ＨＤＤ２２に記憶されている当該デジタルコンテンツのカウンタ情報が「１」以上の場合に、当該デジタルコンテンツの再生を許可し、当該デジタルコンテンツのカウンタ情報が「０」の場合に、当該デジタルコンテンツの再生を不許可とする制御を行う機能を実現させるプログラムである。ＣＰＵ２７は、かかる再生制御プログラム２９Ｉを実行することにより、再生制御手段として機能する。
【００５５】
暗号化プログラム２９Ｊは、例えば、ＣＰＵ２７に、ＨＤＤ２２に記憶されたデジタルコンテンツのＩＤ情報とカウンタ情報とを暗号化する機能を実現させるプログラムである。ＣＰＵ２７は、かかる暗号化プログラム２９Ｊを実行することにより、暗号化手段として機能する。
【００５６】
解読プログラム２９Ｋは、例えば、ＣＰＵ２７に、デジタルコンテンツのＩＤ情報とカウンタ情報とを解読する機能を実現させるプログラムである。ＣＰＵ２７は、かかる解読プログラム２９Ｋを実行することにより、解読手段として機能する。
【００５７】
出力装置４は、例えば、図３に示すように、表示部４０，音出力部４１等を備えて構成され、受信装置２のデコーダ２４から出力されるビデオデータ及びオーディオデータに基づく映像及び音声を表示部４０及び音出力装置４に出力させる。
【００５８】
再生装置３は、例えば、図４に示すように、通信部３０，ＨＤＤ３１，デコーダ３２，表示部３３，音出力部３４，入力部３５，ＣＰＵ３６，ＲＡＭ３７，記憶部３８等を備えて構成される。
【００５９】
通信部３０は、例えば、ネットワークＮを介して、再生装置３と受信装置２との間の通信を行う。
【００６０】
ＨＤＤ３１は、例えば、磁気的記録媒体等を備えて構成され、ＣＰＵ３６が後述する制御プログラム３８Ａを実行することに基づいて、デジタルコンテンツと、ＩＤ情報と、カウンタ情報とを対応づけて記憶する。これにより、ＨＤＤ３１は、記憶手段として機能する。
【００６１】
デコーダ３２は、例えば、ＨＤＤ３１から入力されるデジタルコンテンツに復号処理等を行って、ビデオデータ及びオーディオデータを生成し、表示部３３及び音出力部３４に出力する。
【００６２】
表示部３３は、例えば、ＬＣＤ（Liquid  Crystal  Display）等を備えて構成され、デコーダ３２から出力されるビデオデータに基づく映像を表示する。
【００６３】
音出力部３４は、例えば、スピーカ等を備えて構成され、デコーダ３２から出力されるオーディオデータに基づく音声を出力する。
【００６４】
入力部３５は、例えば、各種の操作信号を入力するための各種のキー等を備え、ユーザにより操作されることによって、各種の操作信号をＣＰＵ３６に出力する。
より具体的には、デジタルコンテンツのコピー、又はデジタルコンテンツの受信装置２又は他の再生装置３への移動、又はデジタルコンテンツのカウンタ情報の受信装置２又は他の再生装置３への移動を指示する操作信号、デジタルコンテンツの再生を指示する操作信号等をＣＰＵ３６に出力する。これにより、入力部３５は、指示手段，再生指示手段として機能する。
【００６５】
ＣＰＵ３６は、例えば、記憶部３８に格納された処理プログラム等を読み出して、ＲＡＭ３７に展開して実行することにより、再生装置３全体の制御を行う。
【００６６】
ＲＡＭ３７は、ＣＰＵ３６により実行された処理プログラム等を、ＲＡＭ３７内のプログラム格納領域に展開するとともに、入力データや上記処理プログラムが実行される際に生じる処理結果等をデータ格納領域に格納する。
【００６７】
記憶部３８は、例えば、プログラムやデータ等が予め記憶されている記録媒体（図示せず）を有しており、この記録媒体は、例えば、半導体メモリ等で構成されている。また、記憶部３８は、ＣＰＵ３６が再生装置３全体を制御する機能を実現させるための各種データ，各種処理プログラム，これらプログラムの実行により処理されたデータ等を記憶する。より具体的には、記憶部３８は、例えば、図４に示すように、制御プログラム３８Ａ，減算プログラム３８Ｂ，変換プログラム３８Ｃ，第１送信プログラム３８Ｄ，第２送信プログラム３８Ｅ，取得プログラム３８Ｆ，加算プログラム３８Ｇ，再生制御プログラム３８Ｈ，暗号化プログラム３８Ｉ，解読プログラム３８Ｊ等を格納している。
【００６８】
制御プログラム３８Ａは、例えば、ＣＰＵ３６に、入力部３５がユーザにより操作されることにより、デジタルコンテンツのコピー、又はデジタルコンテンツの受信装置２又は他の再生装置３への移動、又はデジタルコンテンツのカウンタ情報の受信装置２又は他の再生装置３への移動が指示された場合であって、ＨＤＤ３１に記憶された当該デジタルコンテンツのカウンタ情報が、「２」以上の場合には当該デジタルコンテンツのコピー、デジタルコンテンツの受信装置２又は他の再生装置３への移動、デジタルコンテンツのカウンタ情報の受信装置２又は他の再生装置３への移動を許可し、「１」以上の場合には当該デジタルコンテンツの受信装置２又は他の再生装置３への移動、当該デジタルコンテンツのカウンタ情報の受信装置２又は他の再生装置３への移動を許可する制御を行う機能を実現させるプログラムである。なお、本発明におけるデジタルコンテンツの移動では、移動されるデジタルコンテンツは当該再生装置３に残されたまま、移動先の受信装置２又は他の再生装置３に移動される。ＣＰＵ３６は、かかる制御プログラム３８Ａを実行することにより、制御手段として機能する。
【００６９】
減算プログラム３８Ｂは、例えば、ＣＰＵ３６に、デジタルコンテンツのコピーを許可した場合に、ＨＤＤ３１に記憶された当該デジタルコンテンツのカウンタ情報を所定数減算し、デジタルコンテンツの受信装置２又は他の再生装置３への移動を許可した場合に、ＨＤＤ３１に記憶された当該デジタルコンテンツのカウンタ情報を所定数減算し、デジタルコンテンツのカウンタ情報の受信装置２又は他の再生装置３への移動を許可した場合に、ＨＤＤ３１に記憶された当該デジタルコンテンツのカウンタ情報を所定数減算する機能を実現させるプログラムである。
ここで、所定数は、コピー先である受信装置２や他の再生装置３に移動させるカウンタ情報の数値によって決まる。また、当該所定数は、予め設定されていてもよいし、ユーザにより入力部３５が操作されることにより設定されてもよい。また、減算プログラム３８Ｂは、ＣＰＵ３６に、カウンタ情報が常に０以上となるように減算処理し、例えば、入力部３５により設定された所定数によりカウンタ情報が０より小さくなる場合には、表示部３３又は音出力部３４に所定のエラーメッセージを出力させる機能を実現させるプログラムである。ＣＰＵ３６は、かかる減算プログラム３８Ｂを実行することにより、減算手段として機能する。
【００７０】
変換プログラム３８Ｃは、例えば、ＣＰＵ３６に、デジタルコンテンツのコピー、又はデジタルコンテンツの受信装置２又は他の再生装置３への移動を許可した場合に、当該デジタルコンテンツを所定のデータ形式に変換する機能を実現させるプログラムである。ＣＰＵ３６は、かかる変換プログラム３８Ｃを実行することにより、変換手段として機能する。
【００７１】
第１送信プログラム３８Ｄは、例えば、ＣＰＵ３６に、デジタルコンテンツのコピー、又はデジタルコンテンツの受信装置２又は他の再生装置３への移動を許可した場合に、デジタルコンテンツと、当該デジタルコンテンツのＩＤ情報と、所定数のカウンタ情報とを再生装置３に送信する機能を実現させるプログラムである。また、第１送信プログラム３８Ｄは、ＣＰＵ３６に、変換プログラム３８Ｃを実行することにより当該デジタルコンテンツを所定のデータ形式に変換している場合には、変換されたデジタルコンテンツと、当該デジタルコンテンツのＩＤ情報と、所定数のカウンタ情報とを再生装置３に送信する機能を実現させるプログラムである。ＣＰＵ３６は、かかる第１送信プログラム３８Ｄを実行することにより、第１送信手段として機能する。
【００７２】
第２送信プログラム３８Ｅは、例えば、ＣＰＵ３６に、デジタルコンテンツのカウンタ情報の受信装置２又は他の再生装置３への移動を許可した場合に、当該デジタルコンテンツのＩＤ情報と、所定数のカウンタ情報とを受信装置２又は再生装置３に送信する機能を実現させるプログラムである。ＣＰＵ３６は、かかる第２送信プログラム３８Ｅを実行することにより、第２送信手段として機能する。
【００７３】
取得プログラム３８Ｆは、例えば、ＣＰＵ３６に、デジタルコンテンツのＩＤ情報及びカウンタ情報を取得する機能を実現させるプログラムである。より具体的には、取得プログラム３８Ｆは、ＣＰＵ３６に、受信装置２からデジタルコンテンツ又はデジタルコンテンツのカウンタ情報を受信した場合、又は他の再生装置３からデジタルコンテンツ又はデジタルコンテンツのカウンタ情報が返却された場合に、当該デジタルコンテンツのＩＤ情報及びカウンタ情報を取得する機能を実現させるプログラムである。ＣＰＵ３６は、かかる取得プログラム３８Ｆを実行することにより、取得手段として機能する。
【００７４】
加算プログラム３８Ｇは、例えば、ＣＰＵ３６に、取得プログラム３８Ｆを実行することにより取得したＩＤ情報に対応するＨＤＤ３１に記憶されたデジタルコンテンツのカウンタ情報に、取得したカウンタ情報を加算する機能を実現させるプログラムである。より具体的には、加算プログラム３８Ｇは、例えば、ＣＰＵ３６に、取得プログラム３８Ｆを実行することにより取得したＩＤ情報に基づいてＨＤＤ３１を検索し、当該ＩＤ情報に対応するデジタルコンテンツのカウンタ情報を抽出し、当該カウンタ情報に取得したカウンタ情報を加算し、ＨＤＤ３１に、当該デジタルコンテンツのカウンタ情報として記憶する機能を実現させるプログラムである。ＣＰＵ３６は、かかる加算プログラム３８Ｇを実行することにより、加算手段として機能する。
【００７５】
再生制御プログラム３８Ｈは、例えば、ＣＰＵ３６に、入力部３５がユーザにより操作されることによってデジタルコンテンツの再生を指示する操作信号が入力された場合に、ＨＤＤ３１に記憶されている当該デジタルコンテンツのカウンタ情報が「１」以上の場合に、当該デジタルコンテンツの再生を許可し、当該デジタルコンテンツのカウンタ情報が「０」の場合に、当該デジタルコンテンツの再生を不許可とする制御を行う機能を実現させるプログラムである。ＣＰＵ３６は、かかる再生制御プログラム３８Ｈを実行することにより、再生制御手段として機能する。
【００７６】
暗号化プログラム３８Ｉは、例えば、ＣＰＵ３６に、ＨＤＤ３１に記憶されたデジタルコンテンツのＩＤ情報とカウンタ情報とを暗号化する機能を実現させるプログラムである。ＣＰＵ３６は、かかる暗号化プログラム３８Ｉを実行することにより、暗号化手段として機能する。
【００７７】
解読プログラム３８Ｊは、例えば、ＣＰＵ３６に、デジタルコンテンツのＩＤ情報とカウンタ情報とを解読する機能を実現させるプログラムである。ＣＰＵ３６は、かかる解読プログラム３８Ｊを実行することにより、解読手段として機能する。
【００７８】
次に、上述のような構成のデジタルコンテンツ再生システム１００における受信装置２のデジタルコンテンツの受信動作の一例について図５に示すフローチャートを参照しながら説明する。
まず、受信装置２において、放送局１から送信されたデジタルコンテンツを受信する（ステップＳ１）。次に、ＣＰＵ２７は、記憶制御プログラム２９Ａを実行することにより、当該デジタルコンテンツと当該デジタルコンテンツのＩＤ情報とカウンタ情報とを対応づけてＨＤＤ２２に記憶する（ステップＳ２）。
【００７９】
次に、本実施形態に係るデジタルコンテンツ再生システム１００におけるデジタルコンテンツの移動・返却動作の一例について、図６〜図９に示すフローチャートを参照しながら説明する。
まず、受信装置２において、ユーザにより、入力部２５が操作されることにより、ＨＤＤ２２に記憶されたデジタルコンテンツの再生装置３への移動を指示する操作信号が入力されると（ステップＳ１０１）、ＣＰＵ２７は、制御プログラム２９Ｂを実行することにより、当該デジタルコンテンツのカウンタ情報が「１」以上か否かを判断する（ステップＳ１０２）。
【００８０】
ステップＳ１０２において、ＣＰＵ２７が、当該デジタルコンテンツのカウンタ情報が「１」以上ではないと判断した場合には（ステップＳ１０２；Ｎｏ）、ＣＰＵ２７は、当該デジタルコンテンツの再生装置３への移動を不許可とする（ステップＳ１０３）。
ステップＳ１０２において、ＣＰＵ２７が、当該デジタルコンテンツのカウンタ情報が「１」以上であると判断した場合には（ステップＳ１０２；Ｙｅｓ）、ＣＰＵ２７は、当該デジタルコンテンツの再生装置３への移動を許可する（ステップＳ１０４）。
【００８１】
次に、ＣＰＵ２７は、減算プログラム２９Ｃを実行することにより、当該デジタルコンテンツのカウンタ情報を所定数減算する（ステップＳ１０５）。ここで、所定数は、移動先である再生装置３に移動させるカウンタ情報の数値によって決まる。また、当該所定数は、予め設定されていてもよいし、ユーザにより入力部２５が操作されることにより設定されてもよい。
【００８２】
次に、ＣＰＵ２７は、暗号化プログラム２９Ｊを実行することにより、当該デジタルコンテンツのＩＤ情報と、所定数のカウンタ情報とを暗号化する（ステップＳ１０６）。
【００８３】
次に、ＣＰＵ２７は、変換プログラム２９Ｄを実行することにより、当該デジタルコンテンツのデータ形式を所定のデータ形式に変換する（ステップＳ１０７）。ここで、所定のデータ形式とは、例えば、送信先となる再生装置３において再生可能なデータ形式である。なお、ユーザにより入力部２５が操作されて、当該デジタルコンテンツのデータ形式の変換を指示する操作信号が入力されていない場合には、本ステップは省略される。
【００８４】
次に、ＣＰＵ２７は、第１送信プログラム２９Ｅを実行することにより、当該デジタルコンテンツと、ＩＤ情報と、所定数のカウンタ情報とを再生装置３に送信する（ステップＳ１０８）。
【００８５】
次に、再生装置３が、当該デジタルコンテンツと、ＩＤ情報と、所定数カウンタ情報とを受信すると（ステップＳ１０９）、ＣＰＵ３６は、解読プログラム３８Ｊを実行することにより、当該ＩＤ情報と当該カウンタ情報とを解読する（ステップＳ１１０）。
【００８６】
次に、ＣＰＵ３６は、取得プログラム３８Ｆを実行することにより、当該ＩＤ情報と当該カウンタ情報を取得し（ステップＳ１１１）、加算プログラム３８Ｇを実行することにより、ＨＤＤ３１を検索して当該ＩＤ情報と対応するデジタルコンテンツのカウンタ情報を抽出し、抽出したカウンタ情報に取得したカウンタ情報を加算する（ステップＳ１１２）。なお、ＨＤＤ３１を検索した結果、当該ＩＤ情報と対応するデジタルコンテンツがない場合には、当該デジタルコンテンツと、ＩＤ情報と、カウンタ情報とを対応づけてＨＤＤ３１に記憶する。
【００８７】
次に、ユーザが入力部３５を操作することによって、ＨＤＤ３１に記憶されたデジタルコンテンツのカウンタ情報の受信装置２への移動（返却）を指示する操作信号が入力されると（ステップＳ１１３）、ＣＰＵ３６は、制御プログラム３８Ａを実行することにより、当該デジタルコンテンツのカウンタ情報が「１」以上か否かを判断する（ステップＳ１１４）。
【００８８】
ステップＳ１１４において、ＣＰＵ３６が、当該デジタルコンテンツのカウンタ情報が「１」以上ではないと判断した場合には（ステップＳ１１４；Ｎｏ）、ＣＰＵ３６は、当該デジタルコンテンツのカウンタ情報の再生装置３への移動を不許可とする（ステップＳ１１５）。
ステップＳ１１４において、ＣＰＵ３６が、当該デジタルコンテンツのカウンタ情報が「１」以上であると判断した場合には（ステップＳ１１４；Ｙｅｓ）、ＣＰＵ３６は、当該デジタルコンテンツのカウンタ情報の受信装置２への移動を許可する（ステップＳ１１６）。
【００８９】
次に、ＣＰＵ３６は、減算プログラム３８Ｂを実行することにより、ＨＤＤ３１に記憶されている当該デジタルコンテンツのカウンタ情報を所定数減算する（ステップＳ１１７）。ここで、所定数は、移動先である受信装置２に移動させるカウンタ情報の数値によって決まる。また、当該所定数は、予め設定されていてもよいし、ユーザにより入力部３５が操作されることにより設定されてもよい。
【００９０】
次に、ＣＰＵ３６は、暗号化プログラム３８Ｉを実行することにより、当該デジタルコンテンツのＩＤ情報と、所定数のカウンタ情報とを暗号化する（ステップＳ１１８）。
【００９１】
次に、ＣＰＵ３６は、第２送信プログラム３８Ｅを実行することにより、当該ＩＤ情報とカウンタ情報とを受信装置２に送信する（ステップＳ１１９）。
【００９２】
次に、受信装置２が、当該ＩＤ情報とカウンタ情報とを受信すると（ステップＳ１２０）、ＣＰＵ２７は、解読プログラム２９Ｋを実行することにより、当該ＩＤ情報とカウンタ情報とを解読する（ステップＳ１２１）。
【００９３】
次に、ＣＰＵ２７は、取得プログラム２９Ｇを実行することにより、当該ＩＤ情報とカウンタ情報を取得し（ステップＳ１２２）、加算プログラム２９Ｈを実行することにより、ＨＤＤ２２を検索して当該ＩＤ情報と対応するデジタルコンテンツのカウンタ情報を抽出し、抽出したカウンタ情報に取得したカウンタ情報を加算し（ステップＳ１２３）、本処理を終了する。
【００９４】
次に、本実施形態に係るデジタルコンテンツ再生システム１００におけるデジタルコンテンツのコピー・返却動作の一例について、図１０〜図１３に示すフローチャートを参照しながら説明する。
まず、受信装置２において、ユーザにより、入力部２５が操作されることにより、ＨＤＤ２２に記憶されたデジタルコンテンツの再生装置３へのコピーを指示する操作信号が入力されると（ステップＳ２０１）、ＣＰＵ２７は、制御プログラム２９Ｂを実行することにより、当該デジタルコンテンツのカウンタ情報が「２」以上か否かを判断する（ステップＳ２０２）。
【００９５】
ステップＳ２０２において、ＣＰＵ２７が、当該デジタルコンテンツのカウンタ情報が「２」以上ではないと判断した場合には（ステップＳ２０２；Ｎｏ）、ＣＰＵ２７は、当該デジタルコンテンツの再生装置３へのコピーを許可せず（ステップＳ２０３）、本処理を終了する。
ステップＳ２０２において、ＣＰＵ２７が、当該デジタルコンテンツのカウンタ情報が「２」以上であると判断した場合には（ステップＳ２０２；Ｙｅｓ）、ＣＰＵ２７は、当該デジタルコンテンツの再生装置３へのコピーを許可する（ステップＳ２０４）。
【００９６】
次に、ＣＰＵ２７は、減算プログラム２９Ｃを実行することにより、当該デジタルコンテンツのカウンタ情報を所定数減算する（ステップＳ２０５）。ここで、所定数は、コピー先である再生装置３に移動させるカウンタ情報の数値によって決まる。また、当該所定数は、予め設定されていてもよいし、ユーザにより入力部２５が操作されることにより設定されてもよい。
【００９７】
次に、ＣＰＵ２７は、暗号化プログラム２９Ｊを実行することにより、当該デジタルコンテンツのＩＤ情報と、所定数のカウンタ情報とを暗号化する（ステップＳ２０６）。
【００９８】
次に、ＣＰＵ２７は、変換プログラム２９Ｄを実行することにより、当該デジタルコンテンツのデータ形式を所定のデータ形式に変換する（ステップＳ２０７）。ここで、所定のデータ形式とは、例えば、送信先となる再生装置３において再生可能なデータ形式である。なお、ユーザにより入力部２５が操作されて、当該デジタルコンテンツのデータ形式の変換を指示する操作信号が入力されていない場合には、本ステップは省略される。
【００９９】
次に、ＣＰＵ２７は、第１送信プログラム２９Ｅを実行することにより、当該デジタルコンテンツと、ＩＤ情報と、所定数のカウンタ情報とを再生装置３に送信する（ステップＳ２０８）。
【０１００】
次に、再生装置３が、当該デジタルコンテンツと、ＩＤ情報と、所定数のカウンタ情報とを受信すると（ステップＳ２０９）、ＣＰＵ３６は、解読プログラム３８Ｊを実行することにより、当該ＩＤ情報と当該カウンタ情報とを解読する（ステップＳ２１０）。
【０１０１】
次に、ＣＰＵ３６は、取得プログラム３８Ｆを実行することにより、当該ＩＤ情報と当該カウンタ情報を取得し（ステップＳ２１１）、加算プログラム３８Ｇを実行することにより、ＨＤＤ３１を検索して当該ＩＤ情報と対応するデジタルコンテンツのカウンタ情報を抽出し、抽出したカウンタ情報に取得したカウンタ情報を加算する（ステップＳ２１２）。なお、ＨＤＤ３１を検索した結果、当該ＩＤ情報と対応するデジタルコンテンツがない場合には、当該デジタルコンテンツと、ＩＤ情報と、カウンタ情報とを対応づけてＨＤＤ３１に記憶する。
【０１０２】
次に、ユーザが入力部３５を操作することによって、ＨＤＤ３１に記憶されたデジタルコンテンツのカウンタ情報の受信装置２への移動（返却）を指示する操作信号が入力されると（ステップＳ２１３）、ＣＰＵ３６は、制御プログラム３８Ａを実行することにより、当該デジタルコンテンツのカウンタ情報が「１」以上か否かを判断する（ステップＳ２１４）。
【０１０３】
ステップＳ２１４において、ＣＰＵ３６が、当該デジタルコンテンツのカウンタ情報が「１」以上ではないと判断した場合には（ステップＳ２１４；Ｎｏ）、ＣＰＵ３６は、当該デジタルコンテンツのカウンタ情報の受信装置２への移動を不許可とする（ステップＳ２１５）。
ステップＳ２１４において、ＣＰＵ３６が、当該デジタルコンテンツのカウンタ情報が「１」以上であると判断した場合には（ステップＳ２１４；Ｙｅｓ）、ＣＰＵ３６は、当該デジタルコンテンツのカウンタ情報の受信装置２への移動を許可する（ステップＳ２１６）。
【０１０４】
次に、ＣＰＵ３６は、減算プログラム３８Ｂを実行することにより、ＨＤＤ３１に記憶されている当該デジタルコンテンツのカウンタ情報を所定数減算する（ステップＳ２１７）。ここで、所定数は、移動先である受信装置２に移動させるカウンタ情報の数値によって決まる。また、当該所定数は、予め設定されていてもよいし、ユーザにより入力部３５が操作されることにより設定されてもよい。
【０１０５】
次に、ＣＰＵ３６は、暗号化プログラム３８Ｉを実行することにより、当該デジタルコンテンツのＩＤ情報と、所定数カウンタ情報とを暗号化する（ステップＳ２１８）。
【０１０６】
次に、ＣＰＵ３６は、第２送信プログラム３８Ｅを実行することにより、当該ＩＤ情報とカウンタ情報とを受信装置２に送信する（ステップＳ２１９）。
【０１０７】
次に、受信装置２が、当該ＩＤ情報とカウンタ情報とを受信すると（ステップＳ２２０）、ＣＰＵ２７は、解読プログラム２９Ｋを実行することにより、当該ＩＤ情報とカウンタ情報とを解読する（ステップＳ２２１）。
【０１０８】
次に、ＣＰＵ２７は、取得プログラム２９Ｇを実行することにより、当該ＩＤ情報とカウンタ情報を取得し（ステップＳ２２２）、加算プログラム２９Ｈを実行することにより、ＨＤＤ２２を検索して当該ＩＤ情報と対応するデジタルコンテンツのカウンタ情報を抽出し、抽出したカウンタ情報に取得したカウンタ情報を加算し（ステップＳ２２３）、本処理を終了する。
【０１０９】
次に、本実施形態に係るデジタルコンテンツ再生システム１００の受信装置２及び再生装置３における再生動作の一例について、図１４に示すフローチャートを参照しながら説明する。なお、以下には、受信装置２における再生動作について説明するが、再生装置３においても全く同様の処理がなされる。
まず、入力部２５がユーザにより操作されることによって、ＨＤＤ２２に記憶されているデジタルコンテンツの再生を指示する操作信号が入力されると（ステップＳ３０１）、ＣＰＵ２７は、再生制御プログラム２９Ｉを実行することにより、当該デジタルコンテンツのカウンタ情報が「１」以上であるか否かを判断する（ステップＳ３０２）。
【０１１０】
ステップＳ３０２において、ＣＰＵ２７が、当該デジタルコンテンツのカウンタ情報が「１」以上ではないと判断すると（ステップＳ３０２；Ｎｏ），ＣＰＵ２７は、当該デジタルコンテンツの再生を不許可とする（ステップＳ３０３）。
ステップＳ３０２において、ＣＰＵ２７が、当該デジタルコンテンツのカウンタ情報が「１」以上であると判断すると（ステップＳ３０２；Ｙｅｓ），ＣＰＵ２７は、当該デジタルコンテンツの再生を許可し（ステップＳ３０４）、本処理を終了する。
【０１１１】
次に、本実施形態に係るデジタルコンテンツ再生システム１００の受信装置２と再生装置３との間におけるデジタルコンテンツ又はデジタルコンテンツのカウンタ情報の移動について、図１５を参照しながら説明する。
【０１１２】
「１」のカウンタ情報が付加されたデジタルコンテンツが受信装置２に記憶された場合を図１５に示す。
図１５に示すように、受信装置２のＨＤＤ２２に記憶された当該デジタルコンテンツのカウンタ情報は「１」であるため、コピー不可である。また、当該デジタルコンテンツのカウンタ情報は「１」であるため、再生可能である。
【０１１３】
次に、入力部２５から、受信装置２のＨＤＤ２２に記憶されている当該デジタルコンテンツの再生装置３への移動を指示する操作信号が入力されると、当該デジタルコンテンツカウンタ情報は「１」であるので、ＣＰＵ２７は、制御プログラム２９Ｂの実行に基づいて当該デジタルコンテンツの再生装置３への移動を許可する。
次に、ＣＰＵ２７は、減算プログラム２９Ｃを実行することによりＨＤＤ２２に記憶された当該デジタルコンテンツのカウンタ情報を「１」減算する。
次に、ＣＰＵ２７は、第１送信プログラム２９Ｅを実行することにより、当該デジタルコンテンツと、ＩＤ情報と、「１」のカウンタ情報とを再生装置３に送信する。
次に、再生装置３が当該デジタルコンテンツと、ＩＤ情報と、「１」のカウンタ情報とを受信して、ＨＤＤ３１に記憶する。
このとき、受信装置２のＨＤＤ２２に記憶されている当該デジタルコンテンツのカウンタ情報は「０」であるため、コピー不可である。また、当該デジタルコンテンツのカウンタ情報は「０」であるため、再生不可となっている。
一方、再生装置３のＨＤＤ３１に記憶されている当該デジタルコンテンツのカウンタ情報は「１」であるため、コピー不可である。また当該デジタルコンテンツのカウンタ情報は「１」であるため、再生可能となっている。
【０１１４】
次に、入力部３５から、再生装置３のＨＤＤ３１に記憶されているデジタルコンテンツのカウンタ情報を受信装置２に返却（移動）する操作信号が入力されると、ＨＤＤ３１に記憶されている当該デジタルコンテンツのカウンタ情報は「１」であるため、ＣＰＵ３６は、制御プログラム３８Ａの実行に基づいて、当該デジタルコンテンツのカウンタ情報の返却（移動）を許可する。
次に、ＣＰＵ３６は、減算プログラム３８Ｂを実行することによりＨＤＤ３１に記憶された当該デジタルコンテンツのカウンタ情報を「１」減算する。
次に、ＣＰＵ３６は、第２送信プログラム３８Ｅを実行することにより当該ＩＤ情報と当該カウンタ情報とを受信装置２に送信する。
次に、受信装置２がＩＤ情報と当該カウンタ情報とを受信すると、ＣＰＵ２７は、加算プログラム２９Ｈを実行することにより「１」のカウンタ情報をＨＤＤ２２に記憶されている対応するカウンタ情報に加算する。
このとき、受信装置２のＨＤＤ２２に記憶されている当該デジタルコンテンツのカウンタ情報は「１」であるため、コピー不可である。また、当該デジタルコンテンツのカウンタ情報は「１」であるため、再生可能となっている。
一方、再生装置３のＨＤＤ３１に記憶されている当該デジタルコンテンツのカウンタ情報は「０」であるため、コピー不可である。また、当該デジタルコンテンツのカウンタ情報は「０」であるため、再生不可となる。
【０１１５】
次に、本実施形態に係るデジタルコンテンツ再生システム１００の受信装置２と再生装置３（１台目）との間におけるデジタルコンテンツの移動及び再生装置３（１台目）と再生装置３（２台目）との間におけるコピーについて、図１６を参照しながら説明する。
【０１１６】
「２」のカウンタ情報が付加されたデジタルコンテンツが受信装置２に記憶された場合を図１６に示す。
図１６に示すように、受信装置２のＨＤＤ２２に記憶された当該デジタルコンテンツのカウンタ情報は「２」であるため、コピー可能である。また、当該デジタルコンテンツのカウンタ情報は「２」であるため、再生可能である。
【０１１７】
次に、入力部２５から、受信装置２のＨＤＤ２２に記憶されている当該デジタルコンテンツの再生装置３（１台目）への移動を指示する操作信号が入力されると、当該デジタルコンテンツのカウンタ情報は「２」であるので、ＣＰＵ２７は、制御プログラム２９Ｂの実行に基づいて当該デジタルコンテンツの再生装置３（１台目）への移動を許可する。
次に、ＣＰＵ２７は、減算プログラム２９Ｃを実行することによりＨＤＤ２２に記憶された当該デジタルコンテンツのカウンタ情報を「２」減算する。
次に、ＣＰＵ２７は、第１送信プログラム２９Ｅを実行することにより、当該デジタルコンテンツと、ＩＤ情報と、「２」のカウンタ情報とを再生装置３（１台目）に送信する。
次に、再生装置３（１台目）が当該デジタルコンテンツと、ＩＤ情報と、「２」のカウンタ情報とを受信して、ＨＤＤ３１に記憶する。
このとき、受信装置２のＨＤＤ２２に記憶されている当該デジタルコンテンツのカウンタ情報は「０」に減算されたため、コピー不可である。また、当該デジタルコンテンツのカウンタ情報は「０」に減算されたため、再生不可となっている。
一方、再生装置３（１台目）のＨＤＤ３１に記憶されている当該デジタルコンテンツのカウンタ情報は「２」であるため、コピー可能である。また、カウンタ情報は「２」であるため、再生可能となっている。
【０１１８】
次に、入力部３５から、再生装置３（１台目）のＨＤＤ３１に記憶されているデジタルコンテンツを再生装置３（２台目）にコピーする操作信号が入力されると、ＨＤＤ３１に記憶されている当該デジタルコンテンツのカウンタ情報は「２」であるため、ＣＰＵ３６は、制御プログラム３８Ａの実行に基づいて、当該デジタルコンテンツの再生装置３（２台目）へのコピーを許可する。
次に、ＣＰＵ３６は、減算プログラム３８Ｂを実行することにより、ＨＤＤ３１に記憶されている当該デジタルコンテンツのカウンタ情報を「１」減算する。
次に、ＣＰＵ３６は、第１送信プログラム３８Ｄを実行することにより、当該デジタルコンテンツと、当該デジタルコンテンツのＩＤ情報と、「１」のカウンタ情報とを再生装置３（２台目）に送信する。
次に、再生装置３（２台目）が、当該デジタルコンテンツと、当該デジタルコンテンツのＩＤ情報と、「１」のカウンタ情報とを受信して、当該再生装置３（２台目）のＨＤＤ３１に記憶する。
このとき、再生装置３（１台目）のＨＤＤ３１に記憶されている当該デジタルコンテンツのカウンタ情報は「１」であるため、コピー不可である。また、当該デジタルコンテンツのカウンタ情報は「１」であるため、再生可能となっている。
一方、再生装置３（２台目）のＨＤＤ３１に記憶されている当該デジタルコンテンツのカウンタ情報は「１」であるため、コピー不可である。また、当該デジタルコンテンツのカウンタ情報は「１」であるため、再生可能となっている。
【０１１９】
次に、入力部３５から、再生装置３（２台目）のＨＤＤ３１に記憶されているデジタルコンテンツのカウンタ情報を受信装置２に返却（移動）する操作信号が入力されると、ＨＤＤ３１に記憶されている当該デジタルコンテンツのカウンタ情報は「１」であるため、ＣＰＵ３６は、制御プログラム３８Ａの実行に基づいて、当該デジタルコンテンツのカウンタ情報の返却（移動）を許可する。
次に、ＣＰＵ３６は、減算プログラム３８Ｂを実行することによりＨＤＤ３１に記憶された当該デジタルコンテンツのカウンタ情報を「１」減算する。
次に、ＣＰＵ３６は、第２送信プログラム３８Ｅを実行することにより当該ＩＤ情報と当該カウンタ情報とを受信装置２に送信する。
次に、受信装置２がＩＤ情報と当該カウンタ情報とを受信すると、ＣＰＵ２７は、加算プログラム２９Ｈを実行することにより「１」のカウンタ情報をＨＤＤ２２に記憶されている対応するカウンタ情報に加算する。
このとき、受信装置２のＨＤＤ２２に記憶されている当該デジタルコンテンツのカウンタ情報は「１」であるため、コピー不可である。また、当該デジタルコンテンツのカウンタ情報は「１」であるため、再生可能となっている。
一方、再生装置３（２台目）のＨＤＤ３１に記憶されている当該デジタルコンテンツのカウンタ情報は「０」であるため、コピー不可である。また、当該デジタルコンテンツのカウンタ情報は「０」であるため、再生不可となる。
【０１２０】
以上に説明した本発明に係るデジタルコンテンツ再生システム１００によれば、受信装置２において、ＨＤＤ２２により、デジタルコンテンツと、当該デジタルコンテンツを識別するためのＩＤ情報と、同時に再生可能な受信装置２及び再生装置３の台数を示すカウンタ情報と、が対応付けられて記憶され、ユーザが入力部２５を操作することにより、ＨＤＤ２２に記憶されたデジタルコンテンツのコピー、又はデジタルコンテンツの再生装置３への移動、又はデジタルコンテンツのカウンタ情報の再生装置３への移動が指示され、ＣＰＵ２７が制御プログラム２９Ｂを実行することにより、ユーザが入力部２５操作されることによってＨＤＤ２２に記憶されたデジタルコンテンツのコピー、又はデジタルコンテンツの再生装置３への移動、又はデジタルコンテンツのカウンタ情報の再生装置３への移動が指示された場合であって、ＨＤＤ２２に記憶された当該デジタルコンテンツのカウンタ情報が、「２」以上の場合にはデジタルコンテンツのコピー、デジタルコンテンツの再生装置３への移動、デジタルコンテンツのカウンタ情報の再生装置３への移動を許可し、「１」以上の場合にはデジタルコンテンツの再生装置３への移動、デジタルコンテンツのカウンタ情報の再生装置３への移動を許可する制御が行われ、ＣＰＵ２７が減算プログラム２９Ｃを実行することにより、デジタルコンテンツのコピーが許可された場合に、ＨＤＤ２２に記憶された当該デジタルコンテンツのカウンタ情報が所定数減算され、デジタルコンテンツの再生装置３への移動が許可された場合に、ＨＤＤ２２に記憶された当該デジタルコンテンツのカウンタ情報が所定数減算され、デジタルコンテンツのカウンタ情報の再生装置３への移動が許可された場合に、ＨＤＤ２２に記憶された当該デジタルコンテンツのカウンタ情報が所定数減算され、ＣＰＵ２７が取得プログラム２９Ｇを実行することにより、デジタルコンテンツのＩＤ情報及びカウンタ情報が取得され、ＣＰＵ２７が加算プログラム２９Ｈを実行することにより、取得されたＩＤ情報に対応するＨＤＤ２２に記憶されたデジタルコンテンツのカウンタ情報に、取得されたカウンタ情報が加算され、ユーザにより入力部２５が操作されることにより、デジタルコンテンツの再生が指示され、ＣＰＵ２７が再生制御プログラム２９Ｉを実行することにより、デジタルコンテンツの再生が指示された場合に、ＨＤＤ２２に記憶された当該デジタルコンテンツのカウンタ情報が、「１」以上の場合にデジタルコンテンツの再生を許可し、「０」の場合にデジタルコンテンツの再生を不許可とする制御が行われるので、デジタルコンテンツのコピー，デジタルコンテンツの移動，デジタルコンテンツのカウンタ情報の移動に伴って適正にカウンタ情報が減算又は加算されるとともに、カウンタ情報に基づいてデジタルコンテンツのコピー，デジタルコンテンツの移動，デジタルコンテンツのカウンタ情報の移動の可否が制御され、カウンタ情報に基づいてデジタルコンテンツの再生の可否が制御されることとなり、コピー回数が制限されているデジタルコンテンツ又はデジタルコンテンツのカウンタ情報を異なる機器間で適正にコピー又は移動することができる。
【０１２１】
また、ＣＰＵ２７が制御プログラム２９Ｂを実行することにより、カウンタ情報が「２」以上の場合にはデジタルコンテンツのコピー、又はデジタルコンテンツの移動、又はデジタルコンテンツのカウンタ情報の移動が許可され、カウンタ情報が「１」以上の場合にはデジタルコンテンツの移動又はデジタルコンテンツのカウンタ情報の移動が許可され、ＣＰＵ２７が再生制御プログラム２９Ｉを実行することにより、カウンタ情報が「１」以上の場合には当該デジタルコンテンツの再生が許可され、カウンタ情報が「０」の場合には当該デジタルコンテンツの再生が不許可とされるので、コピー可能回数が１回だけ許されている場合のデジタルコンテンツのみでなく、コピー可能回数が１回以上許されている場合のデジタルコンテンツについても、デジタルコンテンツのコピー又はデジタルコンテンツのカウンタ情報の移動を適正に制御することができる。
【０１２２】
また、受信装置２において、ＣＰＵ２７が変換プログラム２９Ｄを実行することにより、デジタルコンテンツのコピー又はデジタルコンテンツの再生装置３への移動が許可された場合に、当該デジタルコンテンツが所定のデータ形式に変換され、ＣＰＵ２７が第１送信プログラム２９Ｅを実行することにより、デジタルコンテンツのコピー、又はデジタルコンテンツの再生装置３への移動が許可された場合に、変換されたデジタルコンテンツと、当該デジタルコンテンツのＩＤ情報と、所定数のカウンタ情報とが再生装置３に送信されるので、受信装置２から再生装置３にデジタルコンテンツが変換されてコピー又は移動されても、受信装置２に変換される前のデジタルコンテンツが残されることとなり、再生装置３から変換されたデジタルコンテンツが返却されても変換前のデジタルコンテンツに戻すことができないという問題を解決できる。
また、ＣＰＵ２７が第２送信プログラム２９Ｆを実行することにより、デジタルコンテンツのカウンタ情報の再生装置３への移動が許可された場合に、当該デジタルコンテンツのＩＤ情報と、所定数のカウンタ情報とが再生装置３に送信されるので、受信装置２に変換される前のデジタルコンテンツが残されることとなり、再生装置３から変換されたデジタルコンテンツが返却されても変換前のデジタルコンテンツに戻すことができないという問題を解決できる。
【０１２３】
また、ＣＰＵ２７が暗号化プログラム２９Ｊを実行することにより、ＩＤ情報とカウンタ情報とが暗号化され、ＣＰＵ２７が解読プログラム２９Ｋを実行することにより、ＩＤ情報とカウンタ情報とが解読されるので、ＩＤ情報とカウンタ情報とが不正に改ざんされることを防ぐことができる。
【０１２４】
なお、本実施形態では、デジタルコンテンツが放送局１から送信されることとしたが、これに限られるものではなく、ＤＶＤ等の記録媒体に記憶されて受信装置２に取り込まれてもよい。
また、本実施形態では、受信装置２から再生装置３、又は、再生装置３から他の再生装置３にデジタルコンテンツが送信される際に、当該デジタルコンテンツのデータ形式が所定のデータ形式に変換されることとしたが、変換されなくてもよい。
また、本実施形態では、ＩＤ情報とカウンタ情報とを送受信する際に暗号化することとしたが、暗号化されなくてもよい。
また、受信装置２と再生装置３との間で、デジタルコンテンツをコピー，移動，カウンタ情報を移動させる方法は、本実施形態に示したネットワークＮに限られるものではなく、例えば、ＤＶＤ等の記録媒体に記憶されてコピー，移動されてもよい。
【０１２５】
また、本実施形態では、カウンタ情報は同時に再生可能な再生装置の台数を示すこととしたが、カウンタ情報はコピー可能回数を示すこととしてもよい。その場合には、ＣＰＵ２７は、制御プログラム２９Ｂを実行することにより、カウンタ情報が「１」以上の場合にデジタルコンテンツのコピー、デジタルコンテンツの再生装置３への移動、デジタルコンテンツのカウンタ情報の再生装置３への移動を許可し、カウンタ情報が「０」以上の場合にデジタルコンテンツの再生装置３への移動、デジタルコンテンツのカウンタ情報の再生装置３への移動を許可する。また、ＣＰＵ２７は、再生制御プログラム２９Ｉを実行することにより、カウンタ情報が「０」以上の場合にデジタルコンテンツの再生を許可し、カウンタ情報が「−１」の場合にデジタルコンテンツの再生を不許可とする。また、ＣＰＵ２７は、減算プログラム２９Ｃを実行することにより、カウンタ情報が常に「−１」以上となるように減算処理を行う。
【図面の簡単な説明】
【０１２６】
【図１】本発明に係るデジタルコンテンツ再生システム及び放送局を示すブロック図である。
【図２】本発明に係る放送局の構成を示すブロック図である。
【図３】本発明に係る受信装置の構成を示すブロック図である。
【図４】本発明に係る再生装置の構成を示すブロック図である。
【図５】本発明に係るデジタルコンテンツ再生システムの受信装置におけるデジタルコンテンツの受信動作の一例を説明するフローチャートである。
【図６】本発明に係るデジタルコンテンツ再生システムのデジタルコンテンツの移動・返却動作の一例を説明するフローチャートである。
【図７】本発明に係るデジタルコンテンツ再生システムのデジタルコンテンツの移動・返却動作の一例を説明するフローチャートである。
【図８】本発明に係るデジタルコンテンツ再生システムのデジタルコンテンツの移動・返却動作の一例を説明するフローチャートである。
【図９】本発明に係るデジタルコンテンツ再生システムのデジタルコンテンツの移動・返却動作の一例を説明するフローチャートである。
【図１０】本発明に係るデジタルコンテンツ再生システムのデジタルコンテンツのコピー・返却動作の一例を説明するフローチャートである。
【図１１】本発明に係るデジタルコンテンツ再生システムのデジタルコンテンツのコピー・返却動作の一例を説明するフローチャートである。
【図１２】本発明に係るデジタルコンテンツ再生システムのデジタルコンテンツのコピー・返却動作の一例を説明するフローチャートである。
【図１３】本発明に係るデジタルコンテンツ再生システムのデジタルコンテンツのコピー・返却動作の一例を説明するフローチャートである。
【図１４】本発明に係るデジタルコンテンツ再生システムのデジタルコンテンツの再生動作の一例を説明するフローチャートである。
【図１５】本発明に係る受信装置と再生装置との間におけるデジタルコンテンツ又はデジタルコンテンツのカウンタ情報の移動について説明する図である。
【図１６】本発明に係る受信装置と再生装置（１台目）との間におけるデジタルコンテンツの移動及び再生装置（１台目）と再生装置（２台目）との間におけるデジタルコンテンツのコピーについて説明する図である。
【符号の説明】
【０１２７】
２  受信装置（第１再生装置）
３  再生装置（第２再生装置，第３再生装置）
２２，３１  ＨＤＤ（記憶手段）
２５，３５  入力部（指示手段，再生指示手段）
２７，３６  ＣＰＵ（制御手段，減算手段，変換手段，第１送信手段，第２送信手段，取得手段，加算手段，再生制御手段，暗号化手段，解読手段）
２９Ｂ，３８Ａ  制御プログラム（制御手段）
２９Ｃ，３８Ｂ  減算プログラム（減算手段）
２９Ｄ，３８Ｃ  変換プログラム（変換手段）
２９Ｅ，３８Ｄ  第１送信プログラム（第１送信手段）
２９Ｆ，３８Ｅ  第２送信プログラム（第２送信手段）
２９Ｇ，３８Ｆ  取得プログラム（取得手段）
２９Ｈ，３８Ｇ  加算プログラム（加算手段）
２９Ｉ，３８Ｈ  再生制御プログラム（再生制御手段）
２９Ｊ，３８Ｉ  暗号化プログラム（暗号化手段）
２９Ｋ，３８Ｊ  解読プログラム（解読手段）
１００  デジタルコンテンツ再生システム
Ｎ  ネットワーク（通信回線）
【図１】
2007318669.tif 000003
【図２】
2007318669.tif 000004
【図３】
2007318669.tif 000005
【図４】
2007318669.tif 000006
【図５】
2007318669.tif 000007
【図６】
2007318669.tif 000008
【図７】
2007318669.tif 000009
【図８】
2007318669.tif 000010
【図９】
2007318669.tif 000011
【図１０】
2007318669.tif 000012
【図１１】
2007318669.tif 000013
【図１２】
2007318669.tif 000014
【図１３】
2007318669.tif 000015
【図１４】
2007318669.tif 000016
【図１５】
2007318669.tif 000017
【図１６】
2007318669.tif 000018